(57)【特許請求の範囲】
【請求項１】
猫が爪で引っ掻くことで猫の爪を研磨可能な研磨体と、
前記研磨体の研磨面を上方に露出するように前記研磨体を収納可能な収納部が設けられ、前記研磨体を前記収納部に収納して保持する本体部を備える猫の爪研ぎ具において、
前記本体部の上面は長手方向の一端から他端に向かって高さが高くなるように傾斜するとともに、
前記収納部は前記本体部の中央と前記他端との間の領域に形成され、
前記研磨体は、ボール紙が積層され複数の小孔を形成してなる段ボールであり、前記本体部の上面に対し前記複数の小孔が略垂直に延びるように前記研磨体が収納され、
しかも前記収納部の底面に、前記研磨体の小孔と係合する凸部を形成したことを特徴とする猫の爪研ぎ具。
【請求項２】
猫が爪で引っ掻くことで猫の爪を研磨可能な研磨体と、
前記研磨体の研磨面を上方に露出するように前記研磨体を収納可能な収納部が設けられ、前記研磨体を前記収納部に収納して保持する本体部を備える猫の爪研ぎ具において、
前記本体部の上面は長手方向の一端から他端に向かって高さが高くなるように傾斜するとともに、
前記収納部は前記本体部の中央と前記他端との間の領域に形成され、
前記研磨体は前記収納部に長手方向に対して隙間なく収納され、
さらに前記研磨体は、ボール紙が積層され複数の小孔を形成してなる段ボールであり、前記本体部の上面に対し前記複数の小孔が略垂直に延びるように前記研磨体が収納され、
しかも前記収納部の底面に、前記研磨体の小孔と係合する凸部を形成したことを特徴とする猫の爪研ぎ具。
【請求項３】
前記収納部は、前記本体部とは別部材であって前記本体部から分離可能であることを特徴とする請求項１又は２に記載の猫の爪研ぎ具。
【請求項４】
猫が爪で引っ掻くことで猫の爪を研磨可能な研磨体と、
前記研磨体の研磨面を上方に露出するように前記研磨体を収納可能な収納部が設けられ、前記研磨体を前記収納部に収納して保持する本体部を備える猫の爪研ぎ具において、
前記本体部の上面は長手方向の一端から他端に向かって高さが高くなるように傾斜するとともに、
前記収納部は前記本体部の中央と前記他端との間の領域に形成され、
前記収納部は前記本体部の他端側に連通して形成され、前記研磨体を前記本体部の他端から前記収納部に挿入可能としたことを特徴とする猫の爪研ぎ具。
【発明の詳細な説明】
【技術分野】
【０００１】
本発明は、猫が上に乗って爪を研ぐ猫の爪研ぎ具に関するものである。
【背景技術】
【０００２】
猫には爪を研ぐ習性があるので、猫を室内で飼う場合であっても家具や柱等が飼猫に引っ掻かれて傷付けられないために用いる、猫の爪研ぎ具が広く知られている。
猫の爪研ぎ具としては、図８に示すようなものが開示されている（例えば、特許文献１参照）。
【先行技術文献】
【特許文献】
【０００３】
【特許文献１】特開２００３−３３３９５１号公報
【０００４】
図８に記載の猫の爪研ぎ具１０は、段ボールからなる研磨体１１と、収納部１２が形成された本体部１３を備え、猫は爪研ぎ具１０の上に乗って爪を研ぐ。
【０００５】
本体部１３は、収納部１２が形成されて縁部を残すのみであり、収納部１２が本体部１３のほとんどの領域を占める。
また、猫が上に乗って使用するものであるので、本体部１３の長手方向の長さは少なくとも一般的な猫の前脚と後ろ脚との間隔よりも長い必要がある。
【０００６】
研磨体１１は研磨面１１ａが上方に露出するように収納部１２に収納され、本体部１３の一端１３ａ及び他端１３ｂには研磨体１１を押さえる押さえ部１４が設けられている。
ここで、研磨体１１を収納部１２に収納するときには押さえ部１４を開状態としておき、研磨体１１の収納後には押さえ部１４を閉状態としておく。
【０００７】
この発明によると、本体部１３には押さえ部１４があるので、猫が爪を研いでも研磨体１１が押さえ部１４で押さえられ、研磨体１１が本体部１３から外れてしまい難い。
また、猫が爪研ぎ具１０の上に乗って使用されるので、猫の体重が掛かり、猫が爪を研いでも爪研ぎ具１０が移動しない。よって、猫が快適に爪を研ぐことができる。
【０００８】
なお、猫にこのような爪研ぎ具１０を与えて間も無いときには、猫は本体部１３に乗らずに爪を研ごうとするが、この場合、爪を研ぐ度に爪研ぎ具１０が移動し爪を研ぎ難いので、猫は学習して本体部１３の上に乗り体重を掛けることで爪研ぎ具１０の移動を防止しつつ爪を研ぐようになる。
【０００９】
また、本体部１３の長手方向の一端１３ａ及び他端１３ｂが開閉し、ここから研磨体１１を収納することで、押さえ部１４は開閉しないタイプの猫の爪研ぎ具１０もある。
【発明の概要】
【発明が解決しようとする課題】
【００１０】
しかしながら、猫は爪研ぎ具１０の長手方向の一端１３ａ側又は他端１３ｂ側のいずれかに頭を向けて爪を研ぐので、図９に黒塗りで示すように、研磨体１１の両端近くの一定の部位のみが摩耗してしまう。
つまり、いずれの方向に猫が頭を向けても猫の腹部の下方に位置する研磨体１１の長手方向中央が全く使用されないので、無駄が多いという問題がある。
【００１１】
そこで、本発明の目的とするところは、研磨体に無駄が生じ難い猫の爪研ぎ具を提供することにある。
【課題を解決するための手段】
【００１２】
上記の目的を達成するために、本発明の請求項１に記載の猫の爪研ぎ具（２０）は、猫が爪で引っ掻くことで猫の爪を研磨可能な研磨体（２１）と、前記研磨体（２１）の研磨面（２１ａ）を上方に露出するように前記研磨体（２１）を収納可能な収納部（２２，３２）が設けられ、前記研磨体（２１）を前記収納部（２２，３２）に収納して保持する本体部（２３）を備える猫の爪研ぎ具（２０）において、前記本体部（２３）の上面（２３ｃ）は長手方向の一端（２３ａ）から他端（２３ｂ）に向かって高さが高くなるように傾斜するとともに、前記収納部（２２，３２）は前記本体部（２３）の中央と前記他端（２３ｂ）との間の領域に形成され、前記研磨体（２１）は、ボール紙が積層され複数の小孔（２１ｂ）を形成してなる段ボールであり、前記本体部（２３）の上面（２３ｃ）に対し前記複数の小孔（２１ｂ）が略垂直に延びるように前記研磨体（２１）が収納され、しかも前記収納部（２２，３２）の底面（２２ａ，３２ａ）に、前記研磨体（２１）の小孔（２１ｂ）と係合する凸部（２５）を形成したことを特徴とする。
【００１３】
また、請求項２に記載の猫の爪研ぎ具（２０）は、猫が爪で引っ掻くことで猫の爪を研磨可能な研磨体（２１）と、前記研磨体（２１）の研磨面（２１ａ）を上方に露出するように前記研磨体（２１）を収納可能な収納部（２２，３２）が設けられ、前記研磨体（２１）を前記収納部（２２，３２）に収納して保持する本体部（２３）を備える猫の爪研ぎ具（２０）において、前記本体部（２３）の上面（２３ｃ）は長手方向の一端（２３ａ）から他端（２３ｂ）に向かって高さが高くなるように傾斜するとともに、前記収納部（２２，３２）は前記本体部（２３）の中央と前記他端（２３ｂ）との間の領域に形成され、前記研磨体（２１）は前記収納部（２２，３２）に長手方向に対して隙間なく収納され、さらに前記研磨体（２１）は、ボール紙が積層され複数の小孔（２１ｂ）を形成してなる段ボールであり、前記本体部（２３）の上面（２３ｃ）に対し前記複数の小孔（２１ｂ）が略垂直に延びるように前記研磨体（２１）が収納され、しかも前記収納部（２２，３２）の底面（２２ａ，３２ａ）に、前記研磨体（２１）の小孔（２１ｂ）と係合する凸部（２５）を形成したことを特徴とする。
【００１４】
また、請求項３に記載の猫の爪研ぎ具（２０）は、前記収納部（３２）は、前記本体部（２３）とは別部材であって前記本体部（２３）から分離可能であることを特徴とする。
【００１５】
また、請求項４に記載の猫の爪研ぎ具（２０）は、猫が爪で引っ掻くことで猫の爪を研磨可能な研磨体（２１）と、前記研磨体（２１）の研磨面（２１ａ）を上方に露出するように前記研磨体（２１）を収納可能な収納部（２２，３２）が設けられ、前記研磨体（２１）を前記収納部（２２，３２）に収納して保持する本体部（２３）を備える猫の爪研ぎ具（２０）において、前記本体部（２３）の上面（２３ｃ）は長手方向の一端（２３ａ）から他端（２３ｂ）に向かって高さが高くなるように傾斜するとともに、前記収納部（２２，３２）は前記本体部（２３）の中央と前記他端（２３ｂ）との間の領域に形成され、前記収納部（２２）は前記本体部（２３）の他端（２３ｂ）側に連通して形成され、前記研磨体（２１）を前記本体部（２３）の他端（２３ｂ）から前記収納部（２３）に挿入可能としたことを特徴とする。
【００１９】
ここで、上記括弧内の記号は、図面および後述する発明を実施するための形態に掲載された対応要素または対応事項を示す。
【発明の効果】
【００２０】
本発明によれば、本体部の上面は長手方向の一端から他端に向かって高さが高くなるように傾斜するので、猫が本体部に乗ったとき、猫は習性で自然と高さが高い本体部の他端側に頭を向ける。そして、本体部の中央と、猫が頭を向ける他端との間の領域に収納部が形成され、その収納部に研磨体が収納されるので、猫が本体部に乗ったときには猫の正面に研磨体が存在し、猫が快適に爪を研ぐことができる。
また、収納部は本体部の中央と他端との間の領域に形成され、その収納部に研磨体が収納されているので、猫が爪を研ぐ箇所にしか研磨体が存在していない。つまり、従来のものよりも研磨体が小さく、かつその狭い研磨体の全面を猫が使用するので、研磨体において使用されない部分がほとんどなく研磨体に無駄が生じ難い。
また、そのように研磨体が小さいので、従来のように研磨体が大きい場合と比べて猫が爪を研いだときの研磨体の撓み量が少なく、研磨体が収納部から外れてしまい難い。
【００２１】
また、本発明によれば、研磨体は収納部に長手方向に対して隙間なく収納されたので、猫が爪を研いだときに研磨体の長手方向他端側の側壁が、相対する収納部の側壁と干渉する。つまり、研磨体の側壁が収納部の側壁に引っ掛かるので、研磨体が収納部から外れてしまい難い。
【００２２】
また、本発明によれば、研磨体は、ボール紙が積層され複数の小孔を形成してなる段ボールであるので、安価である。また、研磨体の裏表両面を使用可能であるので、消耗品である研磨体のコストを抑えることができる。
【００２３】
また、本発明によれば、収納部の底面に、研磨体の小孔と係合する凸部を形成したので、猫が爪を研いだときに凸部が研磨体の小孔に引っ掛かり、研磨体が長手方向にずれてしまうことを抑制できる。よって、さらに研磨体が収納部から外れてしまい難い。
【００２４】
また、本発明によれば、収納部は、本体部とは別部材であって本体部から分離可能であるので、収納部を本体部から分離させて研磨体の交換を容易に行うことができる。例えば、収納部と研磨体との間に隙間がなく研磨体を取り外し難い状態であっても、収納部の底面に孔を形成しておき、その孔に下方から指を挿通することで容易に収納部から研磨体を取り外すことができる。
【００２６】
また、本発明によれば、収納部は本体部の他端側に連通して形成され、研磨体を本体部の他端から収納部に挿入可能としたので、研磨体が摩耗したときに研磨体の交換が容易である。このように構成しても、猫が爪を研ぐときには研磨体の長手方向一端側の側壁が相対する収納部の側壁と当接するので、研磨体が収納部から外れてしまい難い。
【００２７】
なお、本発明の猫の爪研ぎ具のように、本体部の上面は長手方向の一端から他端に向かって高さが高くなるように傾斜するとともに、収納部は本体部の中央と他端との間の領域に形成された点は、上述した特許文献１には全く記載されていない。
【図面の簡単な説明】
【００２８】
【図１】本発明の第一実施形態に係る猫の爪研ぎ具を示す平面図である。
【図２】本発明の第一実施形態に係る猫の爪研ぎ具を示す、図１のＡ−Ａ線断面図である。
【図３】本発明の第一実施形態に係る猫の爪研ぎ具の使用状態を示す側面図である。
【図４】本発明の第二実施形態に係る猫の爪研ぎ具を示す、図１のＡ−Ａ線断面図である。
【図５】本発明の第三実施形態に係る猫の爪研ぎ具を示す、図１のＡ−Ａ線断面図である。
【図６】本発明の他の実施形態に係る猫の爪研ぎ具を示す、図１のＡ−Ａ線断面図である。
【図７】本発明のさらに他の実施形態に係る猫の爪研ぎ具を示す、図１のＡ−Ａ線断面図である。
【図８】従来例に係る猫の爪研ぎ具を示す斜視図である。
【図９】図８に示す猫の爪研ぎ具の使用後の状態を示す斜視図である。
【発明を実施するための形態】
【００２９】
（第一実施形態）
図１乃至図３を参照して、本発明の第一実施形態に係る猫の爪研ぎ具２０を説明する。
この猫の爪研ぎ具２０は、研磨体２１と、本体部２３を備え、猫が本体部２３の上に乗った状態で爪を研ぐためのものである。
【００３０】
研磨体２１は、ボール紙が複数積層接着され複数の小孔２１ｂを形成してなる平面矩形状の段ボールであり、小孔２１ｂが上下方向に延びている。猫が爪で研磨体２１を引っ掻くことで、猫の爪を研磨可能である。
研磨体２１の長手方向（図１や図２における左右方向）の長さは、猫が爪を研ぐときの前脚での一掻き分の一般的な長さより若干長ければよく、ここでは１５ｃｍとした。また、幅は１１ｃｍ、厚さは３ｃｍである。
従来は、研磨体１１の長手方向の長さは本体部１３の全長と略等しく大きいものであったが、本実施形態に係る研磨体２１の長さは従来のものの長さの１／２〜１／４程度であり小さい。
研磨面２１ａである研磨体２１の上面が摩耗した場合には、裏表をひっくり返して元々下面であった面を研磨面２１ａとして使用可能である。また、研磨体２１の裏表両面が摩耗すると、新しい研磨体２１と交換可能である。
【００３１】
本体部２３は、研磨体２１を収納可能な収納部が上面２３ｃに設けられた台である。
本体部２３の長手方向の長さは、一般的な猫が上に乗ることができる必要があり、本実施形態においては７０ｃｍである。また、本体部２３の幅も猫が上に乗ることができる幅だけあればよい。
本体部２３の上面２３ｃは、長手方向の一端２３ａから他端２３ｂに向かって高さが高くなるように傾斜しており、低い一端２３ａ側の高さは５ｍｍ、高くなった他端２３ｂ側の高さは６ｃｍである。このとき、本体部２３の上面２３ｃの勾配は６．６°である。この勾配は１０°以下が好ましい。
また、本体部２３は中実であるが、本体部２３の上面２３ｃが平面状であれば本体部２３の他の部分は中空である等、軽量化が図られていてもよい。
【００３２】
収納部２２は研磨体２１を収納する窪みであって、本体部２３の中央と、高さが高くなっている他端２３ｂとの間の領域に形成されている。また、収納部２２の底面２２ａや側壁は平滑である。
そして、研磨体２１を収納部２２に長手方向及び幅方向に対して隙間なく収納可能なように、収納部２２は長さ１５ｃｍ、幅１１ｃｍ、深さ３ｃｍのサイズで形成されている。ここで、収納部２２は本体部２３の上面２３ｃに形成されているので、本体部２３の収納部２２に研磨体２１が収納して保持されたとき、研磨体２１の研磨面２１ａが上方に露出する。
【００３３】
このように収納部２２に研磨体２１が収納されたときには、本体部２３の上面２３ｃに対し複数の小孔２１ｂが略垂直に延びる状態であって、研磨体２１の研磨面２１ａと本体部２３の上面２３ｃは面一である。
ここで、図３に示すように、本体部２３の上面２３ｃの長手方向一端２３ａ側（収納部２２が形成されていない箇所）に猫が後ろ脚を乗せた場合に、収納部２２に収納された研磨体２１で前脚の爪を楽に研ぐことができる位置関係となっている。
また、猫が爪を研ぐときに収納部２２から研磨体２１が飛び出して（外れて）しまうことを防止する押さえ部は設けられていない。
【００３４】
以上のように構成された猫の爪研ぎ具２０によれば、本体部２３の上面２３ｃは長手方向の一端２３ａから他端２３ｂに向かって高さが高くなるように傾斜するので、猫が本体部２３に乗ったとき、猫は習性で自然と高さが高い本体部２３の他端２３ｂ側に頭を向ける。そして、本体部２３の中央と、猫が頭を向ける他端２３ｂとの間の領域に収納部２２が形成され、その収納部２２に研磨体２１が収納されるので、猫が本体部２３に乗ったときには猫の正面に研磨体２１が存在し、猫が快適に爪を研ぐことができる。
また、収納部２２は本体部２３の中央と他端２３ｂとの間の領域に形成され、その収納部２２に研磨体２１が収納されているので、猫が爪を研ぐ箇所にしか研磨体２１が存在していない。つまり、従来のものよりも研磨体２１が小さく、かつその狭い研磨体２１の全面を猫が使用するので、研磨体２１において使用されない部分がほとんどなく研磨体２１に無駄が生じ難い。
また、そのように研磨体２１が小さいので、従来のように研磨体１１が大きい場合と比べて猫が爪を研いだときの研磨体２１の撓み量が少なく、研磨体２１が収納部２２から外れてしまい難い。
【００３５】
さらに、研磨体２１は収納部２２に長手方向に対して隙間なく収納されたので、猫が爪を研いだときに研磨体２１の長手方向他端２３ｂ側の側壁が、相対する収納部２２の側壁と干渉する。つまり、研磨体２１の側壁が収納部２２の側壁に引っ掛かるので、研磨体２１が収納部２２から外れてしまい難い。
【００３６】
また、研磨体２１は、ボール紙が積層され複数の小孔２１ｂを形成してなる段ボールであるので、安価である。また、研磨体２１の裏表両面を使用可能であるので、消耗品である研磨体２１のコストを抑えることができる。
【００３７】
（第二実施形態）
次に図４を参照して、本発明の第二実施形態に係る猫の爪研ぎ具２０を説明する。なお、第一実施形態と同一部分には同一符号を付した。
【００３８】
本実施形態では、収納部２２の底面２２ａに研磨体２１の小孔２１ｂと係合する凸部２５が形成されている。この凸部２５の数は一つ、又は複数であってもよい。
凸部２５の径は研磨体２１の小孔２１ｂの径よりも小さいので、研磨体２１を収納部２２に収納しても研磨体２１が浮き上がったりせず、研磨体２１と本体部２３は面一となっている。
【００３９】
さらに、本体部２３の下面２３ｄに、例えばゴム製の滑り止め部材２６を設けている。
その他の構成要素に関しては、第一実施形態と同一である。
【００４０】
以上のように構成された猫の爪研ぎ具２０によれば、収納部２２の底面２２ａに、研磨体２１の小孔２１ｂと係合する凸部２５を形成したので、猫が爪を研いだときに凸部２５が研磨体２１の小孔２１ｂに引っ掛かり、研磨体２１が長手方向にずれてしまうことを抑制できる。よって、さらに研磨体２１が収納部２２から外れてしまい難い。
また、本体部２３の下面２３ｄに滑り止め部材２６を設けたので、使用時に本体部２３が移動し難く、猫が爪研ぎ具２０をさらに快適に使用することができる。
【００４１】
（第三実施形態）
次に図５を参照して、本発明の第三実施形態に係る猫の爪研ぎ具２０を説明する。なお、第一実施形態と同一部分には同一符号を付した。
本実施形態の第一実施形態との違いは、収納部３２であり、その他の構成要素に関しては第一実施形態と同一である。
【００４２】
収納部３２は、本体部２３とは別部材であって本体部２３から分離可能とした。
そして、収納部３２は、本体部２３に形成された窪み２２（第一実施形態における収納部２２と同じもの）に対し嵌め込まれる。
より詳しく説明すると、収納部３２には鍔部３２ｃが形成されており、本体部２３に嵌め込まれたときには本体部２３の上面２３ｃに引っ掛かった状態となる。つまり、鍔部３２ｃの肉厚分だけ本体部２３の上面２３ｃから上方に出ている。
また、収納部３２の底面３２ａの中央には人の指が入るくらいの孔３２ｂが形成されている。
【００４３】
以上のように構成された猫の爪研ぎ具２０によれば、収納部３２は、本体部２３とは別部材であって本体部２３から分離可能で、しかも底面２２ａに孔３２ｂが形成されたので、収納部３２を本体部２３から分離させて研磨体２１の交換を容易に行うことができる。つまり、その孔３２ｂに下方から指を挿通することで容易に収納部３２から研磨体２１を取り外すことができる。
また、収納部３２には鍔部３２ｃが形成されているので、この鍔部３２ｃを持って収納部３２を外すことができ、収納部３２を取り外し易い。
【００４４】
なお、第三実施形態において収納部３２に鍔部３２ｃを設けたが、これに限られるものではなく、図６に示すように、鍔部３２ｃを設けなくてもよい。
また、図６に示すように、本体部２３から分離可能な収納部３２の底面３２ａに凸部２５を設けてもよい。
さらには、本体部２３に押さえ部２４を設けることで、猫が爪を研ぐときに収納部２２から研磨体２１が飛び出してしまうことを確実に防止してもよい。
【００４５】
また、第一乃至第三実施形態において、研磨体２１は収納部２２，３２に長手方向に対して隙間なく収納されたとしたが、これに限られるものではなく、研磨体２１が収納部２２，３２から飛び出さない措置が採られていれば隙間があってもよい。
この一つの態様として、図７に示すように、収納部２２を本体部２３の他端２３ｂ側に連通して形成し、研磨体２１を本体部２３の他端２３ｂから（図７の矢印の方向から）収納部２２に挿入可能としてもよい。こうすることで、研磨体が摩耗したときに研磨体の交換が容易である。このように構成しても、猫が爪を研ぐときには研磨体２１の長手方向一端側の側壁が相対する収納部２２の側壁と当接するので、研磨体２１が収納部２２から外れてしまい難い。
【００４６】
また、研磨体２１は段ボールであるとしたが、これに限られるものではなく、例えば畳のようなものであってもよい。
また、収納部２２，３２に猫が好むマタタビ等を入れてもよい。
【００４７】
また、収納部２２が本体部２３に直接形成された窪みである場合（図２や図４）において、本体部２３の下面２３ｄから収納部２２の底面２２ａに貫通する孔を設けて、研磨体２１を取り外し易くしてもよい。
【符号の説明】
【００４８】
１０      猫の爪研ぎ具
１１      研磨体
１１ａ    研磨面
１２      収納部
１３      本体部
１３ａ    一端
１３ｂ    他端
１４      押さえ部
２０      猫の爪研ぎ具
２１      研磨体
２１ａ    研磨面
２１ｂ    小孔
２２      収納部（窪み）
２２ａ    底面
２３      本体部
２３ａ    一端
２３ｂ    他端
２３ｃ    上面
２３ｄ    下面
２４      押さえ部
２５      凸部
２６      滑り止め部材
３２      収納部
３２ａ    底面
３２ｂ    孔
３２ｃ    鍔部
【図１】
0005756782.tif 000002
【図２】
0005756782.tif 000003
【図３】
0005756782.tif 000004
【図４】
0005756782.tif 000005
【図５】
0005756782.tif 000006
【図６】
0005756782.tif 000007
【図７】
0005756782.tif 000008
【図８】
0005756782.tif 000009
【図９】
0005756782.tif 000010